(57)【要約】【課題】ブラインドの一括操作範囲の選択肢を容易に増大させ、かつ一括操作範囲の設定作業及び選択操作を簡略化し得る操作スイッチを備えた電動ブラインドの制御装置を提供する。【解決手段】エリア設定手段と、エリア選択手段と、全アドレス選択手段と、選択されたブラインドを操作する操作ボタンとを操作スイッチに備え、全アドレス選択手段には、すべてのアドレスのブラインドを選択する第一の選択動作と、エリア内のすべてのアドレスのブラインドを選択する第二の選択動作とを切り替える切り替え手段１５ａ，１８，１９を設けた。【選択図】図５
2010180675.tif 000002
【特許請求の範囲】
【請求項１】
一括して操作するブラインドのエリアを設定するエリア設定手段と、
前記エリアを選択するエリア選択手段と、
全アドレスのブラインドを選択する全アドレス選択手段と、
選択された前記ブラインドを操作する操作ボタンと
を操作スイッチに備えた電動ブラインドの制御装置において、
前記全アドレス選択手段には、
すべてのアドレスのブラインドを選択する第一の選択動作と、
前記エリア内のすべてのアドレスのブラインドを選択する第二の選択動作とを切り替える切り替え手段を設けたことを特徴とする電動ブラインドの制御装置。
【請求項２】
切り替え手段は、
ディップスイッチと、
前記ディップスイッチの切り替えに基づいて前記第一の選択動作と、第二の選択動作とを切り替える制御部と
を備えたことを特徴とする請求項１記載の電動ブラインドの制御装置。
【請求項３】
前記エリア選択手段及び全アドレス選択手段は、
一つのエリア選択ボタンと、
前記エリア選択ボタンを押圧する毎に、前記エリアと、前記全アドレスのブラインドを順次選択する制御部と
を備えたことを特徴とする請求項１又は２記載の電動ブラインドの制御装置。
【請求項４】
前記エリア選択手段及び全アドレス選択手段は、
前記エリアの選択状態と、前記全アドレスの選択状態とを表示する発光ダイオードを備えたことを特徴とする請求項２又は３記載の電動ブラインドの制御装置。
【請求項５】
前記エリア設定手段は、
エリア番号を設定する第一のディップスイッチと、
前記各エリアの最小アドレスを設定する第二のディップスイッチと、
前記各エリアの最大アドレスを設定する第三のディップスイッチと、
前記各エリア番号と、各エリア番号に対応する最小アドレス及び最大アドレスを格納する記憶素子と
を備えたことを特徴とする請求項１乃至４のいずれか１項に記載の電動ブラインドの制御装置。
【発明の詳細な説明】
【技術分野】
【０００１】
この発明は、操作スイッチの操作によりスラットを駆動する電動ブラインドの制御装置に関するものである。
【背景技術】
【０００２】
従来、ビルの複数のフロアにそれぞれ配設された多数の電動ブラインドを、操作スイッチの操作により生成される操作信号により駆動する制御装置が実用化されている。このような制御装置では、多数の電動ブラインドを複数のエリアに分割し、操作スイッチに設けられたエリア選択ボタンによりいずれかのエリアを選択し、当該エリア内の複数の電動ブラインドを一括して制御可能となっている（特許文献１参照）。
【０００３】
また、操作スイッチに一括操作ボタンを備え、その一括操作ボタンの操作により、すべてのブラインドを一括制御可能とした制御装置も実用化されている。
【先行技術文献】
【特許文献】
【０００４】
【特許文献１】特許３２７３０２９号
【発明の概要】
【発明が解決しようとする課題】
【０００５】
上記のような一括操作ボタンを備えた操作スイッチでは、一括操作ボタンの操作によりあらかじめ設定された複数のエリアとは無関係に、建物の同一フロアのすべてのブラインドあるいは建物全体のブラインドが一括制御される。
【０００６】
従って、設定された複数のエリア内のブラインドを一括して操作するためには、当該ブラインドを新たなエリアとして設定し、当該エリアを選択する操作が必要であった。
この発明の目的は、ブラインドの一括操作範囲の選択肢を容易に増大させ、かつ一括操作範囲の設定作業及び選択操作を簡略化し得る操作スイッチを備えた電動ブラインドの制御装置を提供することにある。
【課題を解決するための手段】
【０００７】
請求項１では、一括して操作するブラインドのエリアを設定するエリア設定手段と、前記エリアを選択するエリア選択手段と、全アドレスのブラインドを選択する全アドレス選択手段と、選択された前記ブラインドを操作する操作ボタンとを操作スイッチに備えた電動ブラインドの制御装置において、前記全アドレス選択手段には、すべてのアドレスのブラインドを選択する第一の選択動作と、前記エリア内のすべてのアドレスのブラインドを選択する第二の選択動作とを切り替える切り替え手段を設けた。
【０００８】
請求項２では、切り替え手段は、ディップスイッチと、前記ディップスイッチの切り替えに基づいて前記第一の選択動作と、第二の選択動作とを切り替える制御部とを備えた。
請求項３では、前記エリア選択手段及び全アドレス選択手段は、一つのエリア選択ボタンと、前記エリア選択ボタンを押圧する毎に前記エリアと、前記全アドレスのブラインドを順次選択する制御部とを備えた。
【０００９】
請求項４では、前記エリア選択手段及び全アドレス選択手段は、前記エリアの選択状態と、前記全アドレスの選択状態とを表示する発光ダイオードを備えた。
請求項５では、前記エリア設定手段は、エリア番号を設定する第一のディップスイッチと、前記各エリアの最小アドレスを設定する第二のディップスイッチと、前記各エリアの最大アドレスを設定する第三のディップスイッチと、前記各エリア番号と、各エリア番号に対応する最小アドレス及び最大アドレスを格納する記憶素子とを備えた。
【発明の効果】
【００１０】
本発明によれば、ブラインドの一括操作範囲の選択肢を容易に増大させ、かつ一括操作範囲の設定作業及び選択操作を簡略化し得る操作スイッチを備えた電動ブラインドの制御装置を提供することができる。
【図面の簡単な説明】
【００１１】
【図１】電動ブラインドの制御システムを示す説明図である。
【図２】操作スイッチを示す正面図である。
【図３】操作スイッチを示す背面図である。
【図４】リモコンを示す正面図である。
【図５】操作スイッチの電気的構成を示すブロック図である。
【図６】操作スイッチのエリア設定動作を示すフローチャートである。
【図７】電動ブラインドの制御動作を示すフローチャートである。
【図８】電動ブラインドの制御動作を示すフローチャートである。
【発明を実施するための形態】
【００１２】
以下、この発明を具体化した一実施形態を図面に従って説明する。図１は、建物の１フロアの窓面に沿って設置された多数の電動横型ブラインドを駆動する制御システムを示す。
【００１３】
No.１〜No.１４の１４台のブラインド１は、ヘッドボックス内にそれぞれ配設されるモーターの駆動力でスラットの昇降操作及び角度調節操作を可能とした電動横型ブラインドである。各ブラインド１のヘッドボックス内には、モーターを制御するコントローラーが配設され、各ブラインド１のコントローラーは接続ケーブル２を介して互いに接続されるとともに、パソコン等の中央制御装置３に接続される。
【００１４】
また、前記ブラインド１の設置位置近傍の壁面には、４個の操作スイッチ４ａ〜４ｂが設置され、接続ケーブル５を介して最寄のブラインド１のコントローラーに接続され、そのコントローラーを介して他のブラインド１のコントローラーに接続されている。前記操作スイッチ４ａ〜４ｄは、操作ボタンの押圧に基づく操作信号をコントローラーに出力する。
【００１５】
この操作スイッチ４ａ〜４ｄは、一括して操作する複数のブラインドを１つのエリアとして設定する機能と、そのエリアを複数設定する機能と、設定した複数のエリアの中から１つのエリアを選択し、当該エリア内のブラインド１を一括操作する機能と、全アドレスのブラインド１を選択して一括操作する機能とを備える。また、全アドレスとして、設定された複数のエリア内の全アドレスか、設定されたエリア以外のアドレスを含む全アドレスかを選択する機能を備える。
【００１６】
図２は、前記操作スイッチ４ａの表面に設けられた操作ボタンを示す。他の操作スイッチ４ｂ〜４ｃも同様な構成である。操作面の下部左方には、スラットの昇降操作及びスラットの角度調節操作を停止させる停止ボタン６が設けられ、停止ボタン６の上方及び下方には、スラットを引き上げ操作するための上昇ボタン７と、スラットを下降操作するための下降ボタン８が設けられている。
【００１７】
停止ボタン６及び下降ボタン８の右方には、スラットを全閉方向あるいは逆全閉方向に回動させるためのチルトボタン９，１０が設けられている。
前記上昇ボタン７の右方には、ローカルモードとオートモードを切り替える切り替えボタン１１が設けられ、その切り替えボタン１１の上部には切り替え表示用発光ダイオード（ＬＥＤ）１２が設けられている。
【００１８】
ローカルモードは、各ブラインド１のコントローラーで前記中央制御装置３の指令信号を受け付けることなく、操作スイッチの操作信号に基づいてのみ各ブラインド１のスラットの昇降動作及び角度調節動作を制御するモードである。また、オートモードは操作スイッチの操作信号に優先して中央制御装置３の指令信号に基づいて各ブラインド１のスラットの昇降動作及び角度調節動作を制御するモードである。
【００１９】
そして、切り替えボタン１１の押圧操作毎にオートモードとローカルモードが切り替えられ、ローカルモードが選択されると発光ダイオード１２が点灯され、オートモードが選択されると発光ダイオード１２が消灯される。
【００２０】
前記上昇ボタン７及び切り替えボタン１１の上方には、エリア（ＺＯＮＥ）選択ボタン１３が設けられ、エリア選択ボタン（エリア選択手段、全アドレス選択手段）１３を押圧する毎に選択するエリアを切り替え可能となっている。
【００２１】
前記エリア選択ボタン１３の上方には、選択されたエリアを表示するための４つのエリア表示用発光ダイオード１４ａ〜１４ｄが設けられている。そして、エリア選択ボタン１３を押圧する毎に発光ダイオード１４ａ〜１４ｄが順次点灯される。
【００２２】
また、発光ダイオード１４ｄが点灯された状態からエリア選択ボタン１３をさらに１回押圧すると、発光ダイオード１４ａ〜１４ｄがすべて点灯される。この状態では、全アドレスの選択が設定され、その全アドレスとして各エリア内のすべてのブラインド１を選択する場合と、設定されたエリア外のブラインドを含む全ブラインドを選択する場合とが選択して設定される。発光ダイオード１４ａ〜１４ｄがすべて点灯された状態から、エリア選択ボタン１３をさらに１回押圧すると、発光ダイオード１４ａのみが点灯される状態に復帰する。
【００２３】
図３に示すように、前記操作スイッチ４ａの裏面には第一〜第三のディップスイッチ（エリア設定手段）１５ａ〜１５ｃと、エリア設定用ボタン１６と、エリア設定用発光ダイオード１７が設けられている。
【００２４】
図５は、前記操作スイッチ４ａの電気的構成を示す。他の操作スイッチ４ｂ〜４ｃも同様である。前記操作スイッチ４ａ内にはマイコン（制御部）１８が収容され、そのマイコン１８には記憶素子（ＥＥＰＲＯＭ）１９が接続されている。記憶素子１９にはマイコン１８を介して入力される設定データが格納される。前記マイコン１８には、あらかじめ設定されたプログラムが格納され、そのプログラムに基づいて動作する。
【００２５】
前記マイコン１８には送信部２０が接続され、各ブラインド１のコントローラーに設定データを送信可能である。
前記第一〜第三のディップスイッチ１５ａ〜１５ｃは、図３に示すように、それぞれ８ビットのデジタル値を設定可能とした８個ずつのスイッチＳ１〜Ｓ２４を備え、その設定値がマイコン１８に出力される。第一のディップスイッチ１５ａは、この操作スイッチ４ａで操作する複数のエリアの番号を設定する場合に使用され、スイッチＳ１〜Ｓ３で最大７通りの番号を設定可能となっている。
【００２６】
また、スイッチＳ４（切り替え手段）ではエリア選択ボタン１３ですべてのエリア表示用発光ダイオード１４ａ〜１４ｄが点灯されて全アドレス選択状態となったときに選択されるブラインド１の範囲を切り替え可能となっている。
【００２７】
スイッチＳ４がオン状態に設定されると、設定された複数のエリアを含む全アドレスのブラインド１を一括制御する動作が選択され、スイッチＳ４がオフ状態に設定されると、当該操作スイッチで設定された複数のエリア内のみの全アドレスのブラインド１を一括制御する動作が選択される。また、スイッチＳ８をオン状態とすると、エリアの設定モードを設定可能となっている。
【００２８】
前記第二のディップスイッチ１５ｂは、前記エリア内のブラインド１の最小アドレスを設定する場合に使用され、前記第三のディップスイッチ１５ｃは、前記エリア内のブラインド１の最大アドレスを設定する場合に使用される。第二及び第三のディップスイッチ１５ｂ，１５ｃは、８ビットのデジタル値を設定可能であることから、最大でNo.０〜No.２５５までの２５６通りのアドレスを設定可能である。
【００２９】
前記エリア設定用ボタン１６は、エリア設定作業を行うときに押圧され、その押圧信号がマイコン１８に出力される。また、エリア設定用発光ダイオード１７はエリア設定作業時にマイコン１８により点滅制御される。
【００３０】
前記マイコン１８に接続されるブザー２１は、マイコン１８の制御に基づいて、前記エリア設定用ボタン１６が押圧されたときと、前記送信部２０から信号を送信するときに、短いブザー音を発する。また、マイコン１８により通信異常が検出されたときには、長いブザー音を発するようになっている。
【００３１】
前記エリア選択ボタン１３及び停止ボタン６、上昇ボタン７、下降ボタン８、チルトボタン９，１０等の操作ボタンの押圧による操作信号は、マイコン１８に入力される。また、前記切り替えボタン１１の押圧による操作信号がマイコン１８に入力され、ローカルモードが選択されると切り替え表示用発光ダイオード１２が点灯される。
【００３２】
エリア表示用発光ダイオード１４ａ〜１４ｄは、エリア選択ボタン１３で選択されるエリアに対応するものが点灯される。
次に、上記のような操作スイッチ４ａ〜４ｄを備えた制御システムで複数のエリアを設定する場合のマイコン１８の動作を図６に従って説明する。
【００３３】
設定操作を行う際には、まず第一のディップスイッチ１５ａのスイッチＳ８をオン状態に設定する。次いで、第一のディップスイッチ１５ａのスイッチＳ１〜Ｓ３でエリア１〜エリア４の４つのエリアを設定する。
【００３４】
例えば、スイッチＳ１だけをオン状態とすればエリア１が設定され、スイッチＳ３だけをオン状態とすればエリア４が設定される。エリア１〜４はエリア表示用発光ダイオード１４ａ〜１４ｄに対応するエリアである。
【００３５】
次いで、第二のディップスイッチ１５ｂのスイッチＳ９〜Ｓ１６で、エリアの最小アドレスを設定し、第三のディップスイッチ１５ｃのスイッチＳ１７〜Ｓ２４で、エリアの最大アドレスを設定する。
【００３６】
この状態で、エリア設定用ボタン１６が押圧されると、マイコン１８は第一のディップスイッチ１５ａのスイッチＳ８がオン状態であることと、エリア設定用ボタン１６がオン状態であることを認識した後（ステップ１，２）、エリア設定用ボタン１６が５秒間押圧され続けているか否かを判定する（ステップ３，４）。
【００３７】
エリア設定用ボタン１６が５秒間押圧されていると、ステップ５に移行して第一のディップスイッチ１５ａのスイッチＳ１〜Ｓ３で設定されたエリア番号を読み出す。次いで、第二のディップスイッチ１５ｂからエリアの最小アドレスを読み出し（ステップ６）、第三のディップスイッチ１５ｃからエリアの最大アドレスを読み出す（ステップ７）。
【００３８】
次いで、第一のディップスイッチ１５ａのスイッチＳ８がオン状態であり、さらにエリア設定用ボタン１６が５秒間押圧されていると（ステップ８〜１１）、ステップ１２に移行して読み出されたエリア番号と当該エリアの最小アドレス及び最大アドレスを前記記憶素子１９に格納し、１つのエリアの設定動作を終了する。
【００３９】
また、ステップ８においてスイッチＳ８がオフされていると、記憶素子１９への格納処理を行わずにエリアの設定動作を終了する。
複数のエリアを設定する場合には、各エリア番号を第一のディップスイッチ１５ａのスイッチＳ１〜Ｓ３で設定して、上記のような設定動作を繰り返し、設定作業が終了した後は、第一のディップスイッチ１５ａのスイッチＳ８をオフ状態に復帰させる。
【００４０】
次いで、第一のディップスイッチ１５ａのスイッチＳ４がオン状態に設定されると、全アドレスの選択が設定されたとき、複数のエリア内のブラインド１を含むNo.１〜No.２５５までの全アドレスのブラインド１が選択される。また、スイッチＳ４がオフ状態に設定されると、当該操作スイッチで設定された複数のエリア内だけの全アドレスのブラインド１が選択される。
【００４１】
図１に示す操作スイッチ４ａ〜４ｄは、上記のような設定操作によりそれぞれ複数のエリアが設定されるとともに、スイッチＳ４の操作により全アドレスを選択する場合のブラインド１の範囲が設定される。
【００４２】
操作スイッチ４ａは、第一のディップスイッチ１５ａのスイッチＳ４がオフ状態とされて、一括制御するブラインド１の範囲がNo.１〜No.２５５までの全アドレスのブラインド１に設定されている。また、第一のディップスイッチ１５ａのスイッチＳ１〜Ｓ３で設定されるエリア１にはNo.１のブラインド１が設定され、エリア２にはNo.２のブラインド１が設定され、エリア３にはNo.３のブラインド１が設定され、エリア４にはNo.４，No.５のブラインド１が設定されている。
【００４３】
操作スイッチ４ｂでは、エリア１にはNo.６のブラインド１が設定され、エリア２にはNo.７のブラインド１が設定され、エリア３，４は設定されていない。また、第一のディップスイッチ１５ａのスイッチＳ４がオフ状態に設定されて、一括制御するブラインド１の範囲が設定されたエリア１，２内のブラインド１、すなわちNo.６とNo.７のブラインド１に設定されている。
【００４４】
操作スイッチ４ｃでは、エリア１にはNo.８のブラインド１が設定され、エリア２にはNo.９のブラインド１が設定され、エリア３にはNo.１０のブラインド１が設定され、エリア４にはNo.１１，No.１２のブラインド１が設定されている。また、第一のディップスイッチ１５ａのスイッチＳ４がオフ状態に設定されて、一括制御するブラインド１の範囲が設定されたエリア１〜４内のブラインド１、すなわちNo.８〜No.１２のブラインド１に設定されている。
【００４５】
操作スイッチ４ｄでは、エリア１にはNo.１３のブラインド１が設定され、エリア２にはNo.１４のブラインド１が設定され、エリア３，４は設定されていない。また、第一のディップスイッチ１５ａのスイッチＳ４がオフ状態に設定されて、一括制御するブラインド１の範囲が設定されたエリア１，２内のブラインド１、すなわちNo.１３とNo.１４のブラインド１に設定されている。
【００４６】
図１に示す制御システムでは、前記操作スイッチ４ａ〜４ｄの操作以外に、リモコン操作装置により前記ブラインド１を操作可能となっている。そのリモコン操作装置は、複数のリモコン受信機２２が壁面等に取着され、各リモコン受信機２２は最寄のブラインド１のコントローラーに接続される。各リモコン受信機２２にはそれぞれリモコン２３から操作信号を送信可能である。
【００４７】
前記リモコン２３は、図４に示すように、操作面の中央部にスラットの昇降操作及びスラットの角度調節操作を停止させる停止ボタン２４が設けられている。停止ボタン２４の上方及び下方には、スラットを引き上げ操作するための上昇ボタン２５と、スラットを下降操作するための下降ボタン２６が設けられている。
【００４８】
停止ボタン２４の左方及び右方には、スラットを全閉方向あるいは逆全閉方向に回動させるためのチルトボタン２７，２８が設けられている。
前記上昇ボタン２５の上方には、すべてのブラインド１を一括操作するための一括操作ボタン２９が設けられ、その一括操作ボタン２９の上方には４つのエリア選択ボタン３０ａ〜３０ｄが設けられている。エリア選択ボタン３０ａ〜３０ｄは、設定されたエリアのいずれか１つを選択する場合に使用される。
【００４９】
前記各リモコン受信機２２は、前記操作スイッチ４ａ〜４ｄと同様なエリア設定機能を備え、リモコン２３のエリア選択ボタン３０ａ〜３０ｄで選択するエリアを設定可能であり、一括操作ボタン２９で一括操作するブラインド１の範囲を全アドレスとするかエリア１〜４内のすべてのブラインド１とするかを選択可能である。
【００５０】
次に、上記のような電動ブラインドの操作スイッチ４ａ〜４ｄの動作を図７及び図８に従って説明する。
操作スイッチ４ａ〜４ｄの各マイコン１８は、操作ボタンのいずれかが押圧されると、エリア選択ボタン１３が押圧されたか否かを判定する（ステップ２１，２２）。エリア選択ボタン１３が押圧されると、その押圧以前に選択されているエリアが全アドレス選択状態であるか否か、すなわちエリア表示用発光ダイオード１４ａ〜１４ｄがすべて点灯されている状態であるか否かを判別する（ステップ２３）。
【００５１】
全アドレス選択状態でない場合には、現在選択されているエリアの番号に１を加算した番号のエリアが設定されているか否かを判別する（ステップ２４）。ここで、エリア１〜３のいずれかが選択されていると、ステップ２５に移行してエリア２〜４のいずれかを選択し、対応するエリア表示用発光ダイオード１４ｃ〜１４ｄのいずれかを点灯させ（ステップ２５）、ステップ２１に復帰する。
【００５２】
ステップ２３で全アドレス選択状態が選択されていると、エリア１を選択する状態に移行してエリア表示用発光ダイオード１４ａを点灯させ、ステップ２１に復帰する。
このような動作により、エリア選択ボタン１３が押圧される毎にエリア１からエリア４と、全アドレス選択状態とが順次選択される。
【００５３】
ステップ２４でエリア４が設定されていると、エリア表示用発光ダイオード１４ａ〜１４ｄがすべて点灯されて全アドレス選択状態となる。なお、操作スイッチ４ａ，４ｄでは２つのエリア１，２だけ設定されているので、エリア２が設定されている状態からエリア選択ボタン１３が押圧されると、エリア表示用発光ダイオード１４ａ〜１４ｄがすべて点灯されて全アドレス選択状態となる。
【００５４】
ステップ２２でエリア選択ボタン１３以外のボタンが押圧されていると、図８に示すステップ２８に移行し、操作ボタンすなわち停止ボタン６、上昇ボタン７、下降ボタン８及びチルトボタン９，１０のいずれかが押圧されているか否かを判別する。
【００５５】
操作ボタンのいずれかが押圧されていると、ステップ２９に移行して、全アドレス選択状態か否かを判別する。ステップ２９でエリア表示用発光ダイオード１４ａ〜１４ｄがすべて点灯されて全アドレス選択状態である場合には、ステップ３０に移行する。
【００５６】
ステップ３０では第一のディップスイッチ１５ａのスイッチＳ４がオン状態であるか否かを判別し、オフ状態であればエリア１〜エリア４内のすべてのブラインド１のアドレスを記憶素子１９から読み出す（ステップ３１）。例えば操作スイッチ４ｃではNo.８〜No.１２のブラインド１のアドレスが読み出され、操作スイッチ４ｂではNo.６〜No.７のブラインド１のアドレスが読み出される。
【００５７】
次いで、マイコン１８は読み出されたアドレスのブラインド１に対し、操作ボタンの押圧による操作信号を出力する（ステップ３２）。すると、対応するアドレスのブラインド１では押圧された操作ボタンに対応してスラットが昇降され、あるいは角度調節される。
【００５８】
ステップ３０でスイッチＳ４がオン状態であると、エリア１〜４で設定された範囲のアドレスに関わらず、No.１〜No.２５５の全アドレスを選択し（ステップ３３）、当該アドレスのブラインド１に操作信号を出力する（ステップ３４）。すると、図１に示す制御システムでは操作スイッチ４ａからNo.１〜No.１４のブラインド１に操作信号が出力され、各ブラインド１のスラットの昇降動作あるいは角度調節動作が一括して行われる。
【００５９】
ステップ２９でエリア１〜エリア４のいずれかが選択されていると、ステップ３５に移行して当該エリアの最小アドレスと最大アドレスを記憶素子１９から読み出し、そのアドレス範囲内のブラインド１に操作信号を出力する（ステップ３６）。
【００６０】
すると、例えば操作スイッチ４ａでエリア１が選択されていると、No.１のブラインド１に操作信号が出力され、No.１のブラインド１でスラットが昇降され、あるいは角度調節される。
【００６１】
ステップ２８で切り替えボタン１１が押圧されている場合には、ローカルモードとオートモードとを切り替えてステップ２１に復帰する。
また、リモコン２３の操作により、リモコン受信機２２を介して各ブラインド１を操作可能であり、操作スイッチ４ａ〜４ｄと同様なエリアの設定により同様な操作が可能である。
【００６２】
上記のように構成された電動ブラインドの制御システムでは、次に示す作用効果を得ることができる。
（１）操作スイッチ４ａ〜４ｂであらかじめ複数のエリアを設定し、エリア選択ボタン１３でエリアを選択した状態で操作ボタンを操作することにより、選択したエリア内のブラインド１のスラット昇降操作あるいは角度調節操作を並行して行うことができる。
（２）エリア選択ボタン１３を繰り返し押圧することにより、複数のエリアと全アドレス選択状態とを順次選択することができる。従って、一つのエリア選択ボタン１３で複数のエリアを選択することができるので、操作ボタンの数を削減して操作スイッチ４ａ〜４ｄの小型化を図ることができる。
（３）第一のディップスイッチ１５ａのスイッチＳ４の切り替え操作により、全アドレス選択状態で選択されるアドレスを、全アドレスと、設定された複数のエリア内の全アドレスとに切り替えることができる。従って、複数のエリア内のブラインド１を全部選択するための設定作業を行うことなく、複数のエリア内のブラインド１を一括制御することができる。
（４）各操作スイッチ４ａ〜４ｄの第一〜第三のディップスイッチ１５ａ〜１５ｃと、エリア設定用ボタン１６と、エリア設定用発光ダイオード１７を使用して複数のエリアを設定することができる。従って、液晶パネル等の表示装置を用意することなく、エリア設定操作を行うことができるので、リモコン受信機のコストを低減することができる。
【００６３】
上記実施形態は、以下の態様で実施してもよい。
・切り替え手段を第一のディップスイッチ１５ａのスイッチＳ４で構成したが、独立した他のスイッチ手段で構成してもよい。
・上記制御装置を、電動横型ブラインドの他、電動のカーテン、ロールブラインド、たくし上げカーテン、プリーツスクリーン、シャッター、オーニング等に適用してもよい。
【符号の説明】
【００６４】
１…ブラインド、３…中央制御装置、４ａ〜４ｄ…操作スイッチ、６〜１０…操作ボタン、１４ａ〜１４ｄ…エリア表示用発光ダイオード、１３…エリア選択手段、全アドレス選択手段（エリア選択ボタン）、１５ａ…エリア設定手段、切り替え手段（第一のディップスイッチ）、１５ｂ，１５ｃ…エリア設定手段（第二のディップスイッチ、第三のディップスイッチ）、１８…制御部、切り替え手段（マイコン）、１９…エリア設定手段、切り替え手段（記憶素子）。
【図１】
2010180675.tif 000003
【図２】
2010180675.tif 000004
【図３】
2010180675.tif 000005
【図４】
2010180675.tif 000006
【図５】
2010180675.tif 000007
【図６】
2010180675.tif 000008
【図７】
2010180675.tif 000009
【図８】
2010180675.tif 000010